(57)【要約】【課題】装置を簡易にしてコストダウンを図るとともに、上下の空気を強制的に上下動させることができるようにし、もって、温度調節を確実に行なうことができるようにする。【解決手段】床下空間７と外部１０とを連通し外気を床下空間７に導入する吸気管１１を設け、部屋４の内壁３に内部通気層９に開口し内部通気層９の空気を流入させる流入口２８を設け、部屋４の内部通気層９に接しない内壁３に部屋４内の空気を流出させる流出口２９を設け、流出口２９に接続され外部１０に連通する排気管３０を設け、排気管３０に部屋４内の空気を排気する排気ファン３１を設け、床下空間７と天井裏空間８とを連通し部屋４を貫通する連通管３２を設け、連通管３２に床下空間７と天井裏空間８との空気を内部通気層９に循環させる循環ファン装置３３を設けた。【選択図】　図１
0003097667.tif 000002
【実用新案登録請求の範囲】
【請求項１】
断熱壁を有した外壁で囲繞され内部に内壁で区画された部屋を有するとともに、上記外壁と内壁との間に床下空間と天井裏空間とを連通する内部通気層を形成してなる外断熱建物において、
上記床下空間と外部とを連通し外気を該床下空間に導入する吸気管を設け、上記部屋の内壁に上記内部通気層に開口し該内部通気層の空気を流入させる流入口を設け、上記部屋の内壁に該部屋内の空気を流出させる流出口を設け、上記流出口に接続され外部に連通する排気管を設け、該排気管に上記部屋内の空気を排気する排気ファンを設け、上記床下空間と天井裏空間とを連通し上記部屋を貫通する連通管を設け、該連通管に上記床下空間と天井裏空間との空気を上記内部通気層を通して循環させる循環ファン装置を設けたことを特徴とする外断熱建物。
【請求項２】
上記連通管を複数設け、上記循環ファン装置を、上記少なくとも１つの連通管に設けられ上記床下空間の空気を天井裏空間に送気する上昇用ファンと、上記少なくとも１つの別の連通管に設けられ上記天井裏空間の空気を床下空間に送気する下降用ファンとを備えて構成したことを特徴とする請求項１記載の外断熱建物。
【請求項３】
上記循環ファン装置及び上記排気ファンを制御するファン制御器を設けたことを特徴とする請求項１または２記載の外断熱建物。
【請求項４】
上記天井裏空間に該天井裏空間の空気を冷やす冷房機を設けたことを特徴とする請求項１，２または３記載の外断熱建物。
【請求項５】
上記吸気管を、その吸気口を外気に露出させ、その導出口を床下空間に連通させて地中に埋設したことを特徴とする請求項１，２，３または４記載の外断熱建物。
【請求項６】
上記床下空間を構成する地盤に、上記吸気管の導出口から導出される空気を浄化する空気浄化槽を設けたことを特徴とする請求項５記載の外断熱建物。
【請求項７】
上記空気浄化槽を、上記床下空間に開口する箱状に形成され下側が地盤に埋設されるとともに上記吸気管の導出口が内部に臨む槽本体と、該槽本体に収容され上記吸気管の導出口から導出される空気が晒される木炭とを備えて構成したことを特徴とする請求項６記載の外断熱建物。
【請求項８】
上記木炭の全部もしくは一部を、上記槽本体の開口に着脱可能に設けられる網状のかごに収容したことを特徴とする請求項６または７記載の外断熱建物。
【請求項９】
上記槽本体内にヒータを設けたことを特徴とする請求項６，７または８記載の外断熱建物。
【請求項１０】
上記ヒータを太陽熱装置で加温された液体で加熱する温液ヒータで構成したことを特徴とする請求項９記載の外断熱建物。
【請求項１１】
上記太陽熱装置を建物に付設したことを特徴とする請求項１０記載の外断熱建物。
【考案の詳細な説明】
【０００１】
【考案の属する技術分野】
本考案は、断熱壁を有した外壁と部屋を区画する内壁との間に内部通気層を形成してなる外断熱建物に係り、内部通気層の空気を流通させて部屋の温度調節を行なうようにした外断熱建物に関する。
【０００２】
【従来の技術】
従来、この種の外断熱建物には、例えば、特開２００３−２７６１６号公報に記載されたものが知られている（特許文献１参照）。
図４に示すように、この従来の外断熱建物１００は、断熱壁１０１を有した外壁１０２で囲繞され内部に内壁１０３で区画された部屋１０４を有するとともに、外壁１０２と内壁１０３との間に床下空間１０５と天井裏空間１０６とを連通する内部通気層１０７を形成してなる。床下空間１０５及び天井裏空間１０６を構成する外壁１０２には、開閉可能なダンパー１０８及び１０９が夫々設けられている。また各部屋１０４は熱交換器１１０を介して外部と連通しており、この熱交換器１１０により給気及び排気を行なって空気置換できるようにしている。
【０００３】
この従来の外断熱建物１００においては、夏期には、部屋１０４を冷房するが、ダンパー１０８及び１０９の開口面積を調節し、床下空間１０５及び天井裏空間１０６の空気の温度差による特性を利用して内部通気層１０７を通して空気を外部に排気または一部を循環させ、内壁１０３の温度改善や一部の部屋１０４の冷房による冷熱の分配を行なう。一方、部屋１０４においては、熱交換器１１０を用いて、冷房された部屋１０４内から排気された空気と外気との熱交換を行なって、外気を冷涼にして導入することも行なう。
冬期には、部屋１０４を暖房するが、ダンパー１０８及び１０９を閉鎖することで床下空間１０５及び天井裏空間１０６の空気の温度差による特性を利用して内部通気層１０７を通して空気を循環させ、部屋１０４の暖房により加温される内壁１０３の熱を分配している。一方、部屋１０４においては、熱交換器１１０を用いて、暖房された部屋１０４内から排気された空気と外気との熱交換を行なって、外気を加温して導入することも行なう。
【０００４】
【特許文献１】
特開２００３−２７６１６号公報
【０００５】
【考案が解決しようとする課題】
ところで、従来の外断熱建物１００においては、内部通気層１０７の空気の流れをダンパー１０８及び１０９を調整して行なうものの、その調整具合が複雑なので、どうしても空気の流れがあいまいになってしまい、そのため、部屋１０４の温度調節が不確実になっているという問題があった。即ち、建物１００内において上下温度差が生じても、暖まった空気は確実に上昇して下降しているとは限らず、冷たい空気は確実に下降して上昇しているとは限らないので、室内空間の温度調節が不確実になっている。
また、内部通気層１０７の空気の流れは、自然の力によるものなので、それだけ気象条件に左右されやすく、この点でも、部屋１０４の温度調節が不確実になっているという問題があった。
更に、熱交換器１１０による換気システムは、構成が複雑で施工が煩雑になりコストが高くなるという問題があった。
【０００６】
本考案は上記の問題点に鑑みて為されたもので、装置を簡易にしてコストダウンを図るとともに、上下の空気を強制的に上下動させることができるようにし、もって、温度調節を確実に行なうことができるようにした外断熱建物を提供することを目的とする。
【０００７】
【課題を解決するための手段】
このような目的を達成するための本考案の技術的手段は、断熱壁を有した外壁で囲繞され内部に内壁で区画された部屋を有するとともに、上記外壁と内壁との間に床下空間と天井裏空間とを連通する内部通気層を形成してなる外断熱建物において、
上記床下空間と外部とを連通し外気を該床下空間に導入する吸気管を設け、上記部屋の内壁に上記内部通気層に開口し該内部通気層の空気を流入させる流入口を設け、上記部屋の内壁に該部屋内の空気を流出させる流出口を設け、上記流出口に接続され外部に連通する排気管を設け、該排気管に上記部屋内の空気を排気する排気ファンを設け、上記床下空間と天井裏空間とを連通し上記部屋を貫通する連通管を設け、該連通管に上記床下空間と天井裏空間との空気を上記内部通気層を通して循環させる循環ファン装置を設けた構成としている。
【０００８】
これにより、循環ファン装置を適宜作動させ、空気の吸気，循環，排気を強制的に行なって、空気を強制的に上下動させる。そのため、室内を適正温度に保持できるようになる。即ち、気象条件に左右されることなく、外断熱建物内の確実な空気の循環と適切な温度調節がなされる。この場合、ファンを用いた簡易な装置で行なうので、設備費が比較的安くて済み、それだけ、コストダウンを図ることができる。
【０００９】
例えば、夏期においては、循環ファン装置により、床下空間から連通管を通って天井裏空間に空気を送給し、内部通気層を通して再び床下空間に導き循環させる。この場合、吸気管の吸気口から暖かい空気が取り込まれるが、床下空間はある程度温度が低いのでこの暖かい空気は冷却される。そして、床下空間のある程度冷却された空気は、連通管を上昇し天井裏空間に導かれ、天井裏空間の空気を冷やす。この場合、内部通気層に冷気が通るようになるので、外気に加温された外壁からの温度が遮断され、室内が適正温度に保持されるようになる。
【００１０】
また、居住空間である部屋にも、内部通気層からの冷気が流入口から流入する。そのため、部屋内も適正温度に保持されるようになる。そして、部屋の空気は、排気ファンにより、導入口から排気管を通って排気口より排気させられる。そのため、部屋には常時新鮮な冷気が流入することになり、室内温度がより確実に適正温度に保持されるようになる。
【００１１】
また、例えば、冬期の場合は、循環ファン装置により、天井裏空間の空気を床下空間に下降させ、内部通気層を通して天井裏空間に導き循環させる。この過程では、流入口から内部通気層の空気が部屋内に流入し、排気ファンにより排気管を通って排気口から排気されていく。吸気管の吸気口から冷たい空気が取り込まれるが、床下空間は外気より暖かいので、冷たい空気は加温される。この空気は、内部通気層を上昇し、天井裏空間に流れていく。この場合、内部通気層に暖気が通るようになるので、外気に冷却された外壁からの温度が遮断され、室内が適正温度に保持されるようになる。天井裏空間に上昇した空気は、再び下降用ファンにより床下空間に導かれ下降する。
【００１２】
また、居住空間である部屋にも、内部通気層からの暖気が流入口から流入する。そのため、部屋内も適正温度に保持されるようになる。そして、部屋の空気は、排気ファンにより、導入口から排気管を通って排気口より排気させられる。そのため、部屋には常時新鮮な暖気が流入することになり、室内温度がより確実に適正温度に保持されるようになる。
【００１３】
そして、必要に応じ、上記連通管を複数設け、上記循環ファン装置を、上記少なくとも１つの連通管に設けられ上記床下空間の空気を天井裏空間に送気する上昇用ファンと、上記少なくとも１つの別の連通管に設けられ上記天井裏空間の空気を床下空間に送気する下降用ファンとを備えて構成している。別々に設けたので制御が容易になるとともに、簡易なファンを用いることができるので、コストダウンを図ることができる。
【００１４】
また、必要に応じ、上記循環ファン装置及び上記排気ファンを制御するファン制御器を設けた構成としている。制御が容易になる。
更に、必要に応じ、上記天井裏空間に該天井裏空間の空気を冷やす冷房機を設けた構成としている。冷房機により、床下空間からの空気をより一層冷却することができ、特に、夏期において、部屋の温度をより確実に適正温度にすることができるようになる。
【００１５】
更にまた、必要に応じ、上記吸気管を、その吸気口を外気に露出させ、その導出口を床下空間に連通させて地中に埋設した構成としている。これにより、夏期においては地中の温度は外部よりも低いので吸気口から吸入された外気は吸気管で冷却される。冬期においては地中の温度は外部よりも暖かいので吸入された外気は吸気管で暖められる。そのため、空気の加温，冷却効率が向上させられる。
【００１６】
また、必要に応じ、上記床下空間を構成する地盤に、上記吸気管の導出口から導出される空気を浄化する空気浄化槽を設けた構成としている。取り込まれた空気は、空気浄化槽により浄化されるので、室内環境を良いものにすることができる。
この場合、上記空気浄化槽を、上記床下空間に開口する箱状に形成され下側が地盤に埋設されるとともに上記吸気管の導出口が内部に臨む槽本体と、該槽本体に収容され上記吸気管の導出口から導出される空気が晒される木炭とを備えて構成したことが有効である。空気浄化槽には木炭が収納されているので、空気の汚れや臭いが浄化され、空気の湿度が適切に調整される。即ち、空気浄化槽の木炭により、空気の浄化効果，消臭効果，調湿効果が奏される。
【００１７】
また、この場合、上記木炭の全部もしくは一部を、上記槽本体の開口に着脱可能に設けられる網状のかごに収容したことが有効である。長年の使用により、木炭の効果が低下することがあるが、この場合には、木炭を交換あるいは清浄化すれば良い。この際、上側の木炭はかごを取り外すことで一時に交換できるので、交換作業が容易になる。
【００１８】
また、必要に応じ、上記槽本体内にヒータを設けた構成としている。特に、冬期において、吸気管の吸気口から冷たい空気が取り込まれるが、床下空間への空気を確実に加温することができる。
更に、必要に応じ、上記ヒータを太陽熱装置で加温された液体で加熱する温液ヒータで構成した。温度制御が容易になる。また、電気ヒータではないので、安全が確保される。
更にまた、必要に応じ、上記太陽熱装置を建物に付設した構成としている。太陽熱を利用するので、省エネルギー化が図られる。
【００１９】
【考案の実施の形態】
以下、添付図面に基づいて、本考案の実施の形態に係る外断熱建物について詳細に説明する。
図１乃至図３には、本考案の実施の形態に係る外断熱建物Ｈを示している。この外断熱建物Ｈは、二階建てであり、断熱壁１を有した外壁２で囲繞され、内部に内壁３で区画された上下複数の部屋４を有して構成されている。外壁２の外側には外装材５が設けられており、外壁２と外装材５との間に外部通気層６が形成されている。また、外壁２と内壁３との間には、床下空間７と天井裏空間８とを連通し、外壁２に沿う内部通気層９が形成されている。
【００２０】
また、この外断熱建物Ｈにおいては、床下空間７と外部１０とを連通し外気を床下空間７に導入する吸気管１１が設けられている。吸気管１１はその吸気口１２を外気に露出させ、その導出口１３を床下空間７に連通させて地中１４に埋設されている。
【００２１】
床下空間７を構成する地盤１５には、吸気管１１の導出口１３から導出される空気を浄化する空気浄化槽１６が設けられている。この空気浄化槽１６は、床下空間７に開口する箱状に形成され下側が地盤１５に埋設されるとともに吸気管１１の導出口１３が内部に臨む槽本体１７と、槽本体１７に収容され吸気管１１の導出口１３から導出される空気が晒される木炭１８とを備えて構成されている。木炭１８の全部もしくは一部（実施の形態では一部）は、槽本体１７の開口に着脱可能に設けられる網状のかご１９に収容されている。他の木炭１８は、槽本体１７の底側２０に収容されている。吸気管１１の導出口１３は、かご１９の前位であって、底側２０に収容された木炭１８の上面の上位に位置させられている。
【００２２】
また、槽本体１７内にはヒータ２１が設けられている。ヒータ２１は、太陽熱装置２２で加温された液体で加熱する温液ヒータ２１で構成されている。太陽熱装置２２は、本建物Ｈに付設されている。
太陽熱装置２２は、屋根２３に取り付けられ太陽光が照射されて一次側管路２４内の液体を加温する集光パネル２５と、建物Ｈの外壁外部１０に設けられ一次側管路２４の液体と二次側管路２６の液体との熱交換を行なう熱交換器２７とを備えて構成されている。二次側管路２６の液体は図示外のポンプで上記のヒータ２１に供給されてヒータ２１の加温に供される。
【００２３】
更に、外断熱建物Ｈにおいては、部屋４の内壁３に、内部通気層９に開口し内部通気層９の空気を流入させる流入口２８が設けられている。また、部屋４の内部通気層９に接しない内壁３には、部屋４内の空気を流出させる流出口２９が設けられている。流出口２９には、外部１０に連通する排気管３０が接続されている。排気管３０には、部屋４内の空気を排気する排気ファン３１が設けられている。
【００２４】
更にまた、外断熱建物Ｈにおいては、床下空間７と天井裏空間８とを連通し部屋を貫通する連通管３２が設けられている。連通管３２は、複数（実施の形態では２つ）設けられ、夫々、部屋４の中央を貫通して設けられている。
また、連通管３２には、床下空間７と天井裏空間８との空気を内部通気層９を通して循環させる循環ファン装置３３が設けられている。
【００２５】
循環ファン装置３３は、１つの連通管３２に設けられ、床下空間７の空気を天井裏空間８に送気する上昇用ファン３４と、別の連通管３２に設けられ天井裏空間８の空気を床下空間７に送気する下降用ファン３５とが備えられている。
部屋４内には、循環ファン装置３３及び排気ファン３１を制御するファン制御器３６が設けられている。このファン制御器３６の制御により、上昇用ファン３４，下降用ファン３５及び排気ファン３１の運転を制御している。
また、天井裏空間８には、天井裏空間８の空気を冷やす冷房機３７が設けられている。
【００２６】
従って、この実施の形態に係る外断熱建物Ｈにおいては、以下のような作用をする。この外断熱建物Ｈは、夏期（１），冬期（２），春期及び秋期の中間期（３）によって空気の循環態様が異なる。
【００２７】
（１）夏期
まず、夏期の場合は、図１に示すように、ファン制御器３６で床下空間７の空気を天井裏空間８に上昇させる上昇用ファン３４と、部屋の空気を排気する排気ファン３１だけを作動させ、下降用ファン３５を停止させておく。また、太陽熱装置２２は停止され、ヒータ２１による空気浄化槽１６の加温は行なわれない。更に、適宜、天井裏空間８に設けられている冷房機３７を作動させ天井裏空間８を冷房する。
【００２８】
これにより、吸気管１１の吸気口１２から外気が吸気され、この外気は導出口１３から床下空間７に流入する。床下空間７の空気は、上昇用ファン３４により連通管３２を通って天井裏空間８に送出される。またこれに伴って、天井裏空間８の空気は、内部通気層９を通って再び床下空間７に下降する。即ち、床下空間７と天井裏空間８との空気が内部通気層９を通して循環する。この過程では、流入口２８から内部通気層９の空気が部屋４内に流入し、排気ファン３１により排気管３０を通って排気口３８から排気されていく。
【００２９】
この場合、吸気管１１の吸気口１２から暖かい空気が取り込まれるが、吸気管１１は地中１４に埋設されているので温度が低く、そのため、この暖かい空気は吸気管１１で冷却される。
また、取り込まれた空気は、地盤１５に設置されている空気浄化槽１６を通過するが、空気浄化槽１６には木炭１８が収納されているので、空気の汚れや臭いが浄化され、空気の湿度が適切に調整される。即ち、空気浄化槽１６の木炭１８により、空気の浄化効果，消臭効果，調湿効果が奏される。
【００３０】
そして、床下空間７のある程度冷却された空気は、上昇用ファン３４が作動しているので、連通管３２を上昇し天井裏空間８に導かれ、天井裏空間８の空気を冷やす。また、冷房機３７が作動している場合には、より冷やされる。そして、この冷やされた適温の空気が内部通気層９に流れ、床下空間７に流れていく。この場合、内部通気層９に冷気が通るようになるので、外気に加温された外壁２からの温度が遮断され、室内が適正温度に保持されるようになる。
【００３１】
また、居住空間である部屋４にも、内部通気層９からの冷気が流入口２８から流入する。そのため、部屋４内も適正温度に保持されるようになる。そして、部屋４の空気は、排気ファン３１により、流出口２９から排気管３０を通って排気口３８より排気させられる。そのため、部屋４には常時新鮮な冷気が流入することになり、室内温度がより確実に適正温度に保持されるようになる。また、冷房機３７からの冷風で直接冷房しないので、身体に冷房機３７からの冷風があたることが防止され、快適さを向上させることができる。尚、各部屋に冷房機３７を別途設けても良いことは勿論である。
【００３２】
このようにして、夏期において、空気の吸気，循環，排気を強制的に行なって、空気を強制的に上下動させることで、室内を適正温度に保持できるようになる。この場合、ファンを用いた簡易な装置で行なうので、設備費が比較的安くて済み、それだけ、コストダウンを図ることができる。
【００３３】
（２）冬期
次に、冬期の場合は、図２に示すように、ファン制御器３６で天井裏空間８の空気を床下空間７に下降させる下降用ファン３５と、部屋４の空気を排気する排気ファン３１だけを作動させ、上昇用ファン３４を停止させておく。また、天井裏空間８に設けられている冷房機３７は停止する。更に、適宜、太陽熱装置２２を作動させ、ヒータ２１による空気浄化槽１６の加温を行なう。
【００３４】
これにより、吸気管１１の吸気口１２から外気が吸気され、この外気は導出口１３から床下空間７に流入する。天井裏空間８の空気は、下降用ファン３５により連通管３２を通って床下空間７に送出される。またこれに伴って、床下空間７の空気は、内部通気層９を通って天井裏空間８に上昇する。即ち、床下空間７と天井裏空間８との空気が内部通気層９を通して循環する。この過程では、流入口２８から内部通気層９の空気が部屋４内に流入し、排気ファン３１により排気管３０を通って排気口３８から排気されていく。
【００３５】
この場合、吸気管１１の吸気口１２から冷たい空気が取り込まれるが、吸気管１１は地中１４に埋設されているので温度が高く、そのため、この冷たい空気は吸気管１１で加温される。更に、ヒータ２１が加温されている場合には、このヒータ２１によって、加温される。
また、取り込まれた空気は、地盤１５に設置されている空気浄化槽１６を通過するが、空気浄化槽１６には木炭１８が収納されているので、空気の汚れや臭いが浄化され、空気の湿度が適切に調整される。即ち、空気浄化槽１６の木炭１８により、空気の浄化効果，消臭効果，調湿効果が奏される。
【００３６】
そしてまた、天井裏空間８の空気は、下降用ファン３５が作動しているので、連通管３２を下降し床下空間７に導かれ、加温された空気と混合する。この空気は、内部通気層９を上昇し、天井裏空間８に流れていく。この場合、内部通気層９に暖気が通るようになるので、外気に冷却された外壁２からの温度が遮断され、室内が適正温度に保持されるようになる。天井裏空間８に上昇した空気は、再び下降用ファン３５により床下空間７に導かれ下降する。
【００３７】
また、居住空間である部屋４にも、内部通気層９からの暖気が流入口２８から流入する。そのため、部屋４内も適正温度に保持されるようになる。そして、部屋４の空気は、排気ファン３１により、流出口２９から排気管３０を通って排気口３８より排気させられる。そのため、部屋４には常時新鮮な暖気が流入することになり、室内温度がより確実に適正温度に保持されるようになる。尚、各部屋４に暖房機を別途設けても良いことは勿論である。
【００３８】
このようにして、冬期において、空気の吸気，循環，排気を強制的に行なって、空気を強制的に上下動させることで、室内を適正温度に保持できるようになる。この場合、ファンを用いた簡易な装置で行なうので、設備費が比較的安くて済み、それだけ、コストダウンを図ることができる。
【００３９】
（３）中間期
次に、春期と秋期の中間期について説明する。図３に示すように、中間期においては、上昇用ファン３４と下降用ファン３５を停止させ、排気ファン３１だけを作動させている。
これにより、流入口２８から内部通気層９の空気が部屋４内に流入し、排気ファン３１により排気管３０を通って排気口３８から排気されていく。これに伴って、吸気管１１の流出口２９から外気が吸気され、この外気は導出口１３から床下空間７に流入し、内部通気層９へと流入していく。
【００４０】
この場合、吸気管１１の吸気口１２から取り込まれる外気は、地盤１５に設置されている空気浄化槽１６を通過するが、空気浄化槽１６には木炭１８が収納されているので、空気の汚れや臭いが浄化され、空気の湿度が適切に調整される。即ち、空気浄化槽１６の木炭１８により、空気の浄化効果，消臭効果，調湿効果が奏される。
中間期の場合には、気温の低い日には空気浄化槽１６内に設けられた温液ヒータ２１で外部１０の空気を暖めることが可能である。この温液ヒータ２１による空気の暖め方は、冬期の場合と同一である。
【００４１】
空気浄化槽１６で浄化された空気は、この時期には、暖房や冷房を必要としなくても適温になっている場合が多いので、排気ファン３１の作動により居住空間である部屋４に流入すると、部屋４内も適正温度に保持されるようになる。そして、部屋４の空気は、排気ファン３１により、流出口２９から排気管３０を通って排気口３８より排気させられる。そのため、部屋４には常時新鮮な暖気が流入することになり、室内温度がより確実に適正温度に保持されるようになる。
【００４２】
また、空気浄化槽１６においては、長年の使用により、木炭１８の効果が低下することがあるが、この場合には、木炭１８を交換あるいは清浄化すれば良い。この際、上側の木炭１８はかご１９を取り外すことで一時に交換できるので、交換作業が容易になる。
【００４３】
尚、上記実施の形態において、夏期（１），冬期（２），春期及び秋期の中間期（３）によって空気の循環態様を異ならせたが、気温や湿度などの環境の変化に応じ、どのように空気循環を設定してもよく、冷房機３７やヒータ２１の作動とともに、適宜変更して差し支えないことは勿論である。
また、循環ファン装置３３は、連通管３２を２本用い、上昇用と下降用の別々のファンを用いて構成したが、必ずしもこれに限定されるものではなく、連通管３２を１本にし、これに上昇と下降を切換え可能な両用のファンを設けても良く、適宜変更して差支えない。また、空気浄化槽１６は、外断熱建物の大きさにより適宜数を増減することも可能である。
【００４４】
【考案の効果】
以上説明したように、本考案の外断熱建物によれば、循環ファン装置を適宜作動させ、空気の吸気，循環，排気を強制的に行なって、空気を強制的に上下動させることができ、そのため、室内を適正温度に保持できるようになる。即ち、気象条件に左右されることなく、外断熱建物内の確実な空気の循環と適切な温度調節を行なうことができる。また、ファンを用いた簡易な装置で行なうので、設備費が比較的安くて済み、それだけ、コストダウンを図ることができる。
【図面の簡単な説明】
【図１】本考案の実施の形態に係る外断熱建物の構造を夏期における空気の循環態様とともに示す断面図である。
【図２】本考案の実施の形態に係る外断熱建物の構造を冬期における空気の循環態様とともに示す断面図である。
【図３】本考案の実施の形態に係る外断熱建物の構造を中間期における空気の循環態様とともに示す断面図である。
【図４】従来の外断熱建物の一例を示す図である。
【符号の説明】
Ｈ　外断熱建物
１　断熱壁
２　外壁
３　内壁
４　部屋
５　外装材
６　外部通気層
７　床下空間
８　天井裏空間
９　内部通気層
１０　外部
１１　吸気管
１２　吸気口
１３　導出口
１４　地中
１５　地盤
１６　空気浄化槽
１７　槽本体
１８　木炭
１９　かご
２０　底側
２１　ヒータ
２２　太陽熱装置
２３　屋根
２４　一次側管路
２５　集光パネル
２６　二次側管路
２７　熱交換器
２８　流入口
２９　流出口
３０　排気管
３１　排気ファン
３２　連通管
３３　循環ファン装置
３４　上昇用ファン
３５　下降用ファン
３６　ファン制御器
３７　冷房機
３８　排気口
【図１】
0003097667.tif 000003
【図２】
0003097667.tif 000004
【図３】
0003097667.tif 000005
【図４】
0003097667.tif 000006